(57)【要約】【課題】搬送方向の前後に配設される複数の灌水パイプから吐水される水が苗トレイから溢れ出ないようにする。【解決手段】苗トレイ２を搬送するトレイ搬送装置８と、トレイ搬送装置８上に配置される床土供給装置２０と灌水装置３０と播種装置５０と覆土装置６０を備える播種機１において、前記灌水装置３０は、苗トレイ２の搬送方向に対して直交方向に前灌水パイプ３２と後灌水パイプ３３が平行に配設されて、搬送方向下流側の後灌水パイプ３３からの吐水方向は、下流側方向に傾斜させて吐水し、下流側の灌水パイプ以外は下方に吐水するように構成した。【選択図】図３
2015149946.tif 000002
【特許請求の範囲】
【請求項１】
苗トレイを搬送するトレイ搬送装置と、トレイ搬送装置上に配置される床土供給装置と灌水装置と播種装置と覆土装置を備える播種機において、前記灌水装置は、苗トレイの搬送方向に対して直交方向に複数の灌水パイプが平行に配設されて、搬送方向下流側の灌水パイプからの吐水方向は、下流側方向に傾斜させて吐水し、下流側の灌水パイプ以外は下方に吐水するように構成したことを特徴とする播種装置。
【請求項２】
前記灌水パイプの吐水角度を変更可能に構成したことを特徴とする請求項１に記載の播種装置。
【請求項３】
前記灌水パイプの吐水量を変更可能に構成したことを特徴とする請求項１に記載の播種装置。
【発明の詳細な説明】
【技術分野】
【０００１】
本発明は、搬送装置により搬送される苗トレイに床土を供給して灌水を行い、床土表面に凹部を形成してその凹部に播種を行い、覆土後に灌水する播種装置において、床土に灌水を行う灌水装置に関する。
【背景技術】
【０００２】
従来から、搬送装置による移送中の苗トレイに床土を供給し、灌水し、播種し、覆土する播種装置における灌水装置において、搬送方向で前後に一対の灌水パイプを設けて、前後の灌水パイプで灌水可能とした技術が公知となっている。例えば、特許文献１に示す技術である。
【０００３】
特許文献１に示す技術では、前後の灌水パイプから下方へ吐出し、床土へ十分水を染み込ませるために灌水パイプからの吐水量を多くすると、苗トレイの搬送方向中途部や始端部では問題なく浸透していくが、搬送終端部においては、図６に示すように、下流側の灌水パイプからの吐水で床土に浸透させつつ、その後ろの上流側の灌水パイプから更に吐水して加水されるので、その水は浸透が追い付かず、上流側は苗トレイの縁部で堰き止められて逃げることができず水が溜まり、上流側や側方に水が溢れ出てしまうという問題があった。さらに、溜まった水に更に吐水されるため、水流で床土が撹拌されて床土も流出することがあった。
【先行技術文献】
【特許文献】
【０００４】
【特許文献１】特開平８−３２２３３１号公報
【発明の概要】
【発明が解決しようとする課題】
【０００５】
そこで本発明は、搬送方向前後に配設される一対の灌水パイプから吐水される水が苗トレイから溢れ出ないように、前後一方の灌水パイプの吐水方向を斜め方向として、水が溢れたり、床土が流出したりすることを防止することを課題とする。
【課題を解決するための手段】
【０００６】
本発明の解決しようとする課題は以上の如くであり、次にこの課題を解決するための手段を説明する。
即ち、請求項１においては、苗トレイを搬送するトレイ搬送装置と、トレイ搬送装置上に配置される床土供給装置と灌水装置と播種装置と覆土装置を備える播種機において、前記灌水装置は、苗トレイの搬送方向に対して直交方向に複数の灌水パイプが平行に配設されて、搬送方向下流側の灌水パイプからの吐水方向は、下流側方向に傾斜させて吐水し、下流側の灌水パイプ以外は下方に吐水するように構成したものである。
請求項２においては、前記灌水パイプの吐水角度を変更可能に構成したものである。
請求項３においては、前記灌水パイプの吐水量を変更可能に構成したものである。
【発明の効果】
【０００７】
本発明の効果として、以下に示すような効果を奏する。
即ち、苗トレイの搬送終端部を灌水する時に、水が苗トレイから溢れ出て周囲を水で汚すことがなく、水と共に床土が流失することもなく、灌水量を増加でき、床土表面を乱すことも抑えることができる。
【図面の簡単な説明】
【０００８】
【図１】播種機の全体構成を示す側面図。
【図２】搬送装置の斜視図。
【図３】本発明の一実施形態に係る灌水装置の側面図。
【図４】同じく平面図。
【図５】（ａ）苗トレイ始端部の灌水を示す灌水装置の側面図。（ｂ）苗トレイ終端部の灌水を示す灌水装置の側面図。
【図６】従来の灌水を示す灌水装置の側面図。
【図７】テンション部の側面図。
【図８】床土供給装置の斜視図。
【図９】搬送装置と床土供給装置の側面図。
【発明を実施するための形態】
【０００９】
図１を参照して、播種機１の全体的な構成について説明する。なお、以下の説明においては、苗トレイ２が搬送される下流側を後方、上流側を前方として、前後左右方向を規定するものとする。
【００１０】
播種機１は、トレイ搬送装置８、苗トレイ供給装置１０、床土供給装置２０、灌水装置３０、穴開け装置４０、播種装置５０、覆土装置６０、後灌水装置７０等を備える。苗トレイ供給装置１０、床土供給装置２０、灌水装置３０、穴開け装置４０、播種装置５０、覆土装置６０、後灌水装置７０は上流側から順にトレイ搬送装置８上に配設される。苗トレイ２は縦横に複数の凹部が形成され、該凹部内に床土が床土供給装置２０により充填されるようにしている。
【００１１】
トレイ搬送装置８は、前搬送装置８Ｆと中搬送装置８Ｍと後搬送装置８Ｒの前後３つに分割可能に構成される。前搬送装置８Ｆ上に苗トレイ供給装置１０と床土供給装置２０と灌水装置３０が配設され、中搬送装置８Ｍ上に穴開け装置４０と播種装置５０が配設され、後搬送装置８Ｒ上に覆土装置６０と後灌水装置７０と搬送駆動モータ３が配設される。前搬送装置８Ｆと中搬送装置８Ｍと後搬送装置８Ｒは略同じ構成であるため、前搬送装置８Ｆについて説明する。
【００１２】
図２において、前搬送装置８Ｆは、柱状の脚部８１・８１と、脚部８１・８１上に前後方向に架設される左右の搬送フレーム８２・８２と、左右の搬送フレーム８２・８２間に横設して連結する複数の連結フレーム８３・８３・・・と、連結フレーム８３・８３・・・上に搬送フレーム８２と平行に架設されるガイドレール８４・８４と、左右の搬送フレーム８２・８２の間に配設されるチェーン搬送機構８５等からなる。なお、前搬送装置８Ｆと中搬送装置８Ｍの搬送フレーム８２の後端には連結手段８２ａが設けられている。ガイドレール８４・８４はチェーン搬送機構８５の左右両側に配置して苗トレイ２の搬送時に左右の底面を支える。
【００１３】
チェーン搬送機構８５は、第一搬送チェーン８６と、第一搬送チェーン８６を巻回する前スプロケット８７と後スプロケット８８と、前スプロケット８７と後スプロケット８８の間に配設され第一搬送チェーン８６を緊張させるテンション８９と、第二搬送チェーン９０と、第二搬送チェーン９０を巻回する前スプロケット９１と後スプロケット９２とを備える。前スプロケット８７は搬送フレーム８２・８２の上流端に回転自在に支持された支持軸に固定され、後スプロケット８８と前スプロケット９１は搬送フレーム８２・８２の前後中途部に回転自在に支持された支持軸の左右に固定され、後スプロケット９２は左側の搬送フレーム８２の下流端にブラケット９３を介して回転自在に支持された支持軸に固定される。この支持軸は左側の搬送フレーム８２の内側から左右中央側に突出されて、その端部に中搬送装置８Ｍの第一搬送チェーン８６を巻回する前スプロケット８７が固設される。こうして、中搬送装置８Ｍから前搬送装置８Ｆに動力を伝達できるようにしている。
【００１４】
そして、後搬送装置８Ｒの後端上に搬送駆動モータ３が配置され、該搬送駆動モータ３からの動力が後搬送装置８Ｒの第二搬送チェーン９０に伝えられ、後搬送装置８Ｒの第一搬送チェーン８６、中搬送装置８Ｍの第二搬送チェーン９０、中搬送装置８Ｍの第一搬送チェーン８６、前搬送装置８Ｆの第二搬送チェーン９０、第一搬送チェーン８６と動力が伝達され、前搬送装置８Ｆと中搬送装置８Ｍと後搬送装置８Ｒが同時に駆動される構成としている。
【００１５】
前記第一搬送チェーン８６は苗トレイ供給装置１０と床土供給装置２０の下方に配置され、第二搬送チェーン９０は灌水装置３０の下方に配置され、第一搬送チェーン８６と第二搬送チェーン９０は左右方向にずれて配置される。このように搬送装置を左右ずらせて配置して分割することにより、灌水装置３０の下方を通過するときにチェーンが濡れても次の過程まで水を持ち込むことがなく、周囲を濡らしたり、こぼれた床土を濡らして回収を難くしたりすることをなくせるようにしている。また、後搬送装置８Ｒのチェーン搬送機構８５も同様に構成されて、覆土装置６０の下方に第一搬送チェーン８６が配置され、後灌水装置７０の下方に第二搬送チェーン９０が配置されて、水が次の行程へ搬送されることがないようにしている。
【００１６】
前記テンション８９は、図７に示すように、テンションプレート８９ａと、テンションプレート８９ａを回転自在に支持する支持軸８９ｂと、テンションプレート８９ａを下方に付勢するテンションバネ８９ｃからなり、テンションプレート８９ａが略矩形状に構成され、後端が支持軸８９ｂに回転自在に支持され、前下部が略円弧状に構成されて無端状の第一搬送チェーン８６の内側前下部に当接するように構成している。支持軸８９ｂは前スプロケット８７と後スプロケット８８の間で、連結フレーム８３・８３上に固定され第一搬送チェーン８６の内周上側をガイドするチェーンガイド９４に横架される。テンションバネ８９ｃは捩じりバネからなり支持軸８９ｂに外嵌され、一端はチェーンガイド９４に係止され、他端はテンションプレート８９ａに係止される。但し、テンションバネ８９ｃは引っ張りバネでもよく限定するものではない。こうして、テンション８９は前スプロケット８７と後スプロケット８８の間で第一搬送チェーン８６が巻回される空間内に配置して、テンションプレート８９ａの先端を第一搬送チェーン８６に当接させて下方へ押し、第一搬送チェーン８６を自動的に緊張する構成としている。よって、第一搬送チェーン８６は緩むことなく、テンションを調節する必要もなく、テンションスプロケットも不要で、簡単な構成で第一搬送チェーン８６を緊張させることができる。
【００１７】
また、第一搬送チェーン８６および第二搬送チェーン９０の外周には苗トレイ２の搬送方向の長さに合わせてフック９５・９５・・・が設けられ、第一搬送チェーン８６及び第二搬送チェーン９０を回動することで、フック９５が苗トレイ２の後端下部を引っ掛けて下流側に搬送するように構成している。
【００１８】
苗トレイ供給装置１０は、前搬送装置８Ｆの前部に苗トレイ２の大きさに合わせて、苗トレイ２の四隅をガイドするように平面視Ｌ字状の支柱１１・１１・・・が搬送フレーム８２に固定される。この支柱１１・１１・・・に囲まれた空間内に苗トレイ２を積み重ねて収納することにより、最下段の苗トレイ２が第一搬送チェーン８６のフック９５により引き出されて下流側へ搬送され、苗トレイ供給装置１０から出ると残りの積み重ねられた苗トレイ２が一段重力により落下する。そして、最下段の苗トレイ２が次の第一搬送チェーン８６のフック９５に引っ掛けられ、前記同様に搬送される。こうして自動的に苗トレイ２が一枚ずつ供給されるようになっている。
【００１９】
床土供給装置２０は、図８、図９に示すように、搬送フレーム８２上に固定される機枠２１と、機枠２１上に固定されるホッパー２２と、機枠２１内に収納される供給コンベア２３と鎮圧ローラ２４と駆動モータ２５と均し手段２６等からなる。
【００２０】
供給コンベア２３は苗トレイ２の幅に合わせた平ベルトと平ベルトを巻回する前後のローラと、規制板からなり、前側のローラが駆動モータ２５により苗トレイ２の搬送に合わせて駆動されて平ベルトを回転させ、規制板により繰出量を調整可能としている。苗トレイ２に落下された床土は、その表面が鎮圧ローラ２４により鎮圧される。鎮圧ローラ２４はトレイ搬送装置８からチェーンを介して駆動される。
【００２１】
図８に示すように、後側の機枠２１の後板２１ａ上端とホッパー２２との間には隙間２７が設けられ、供給コンベア２３の状態を容易に視認できるようにしている。また、後側の機枠２１の後板２１ａ上部にはのぞき窓２１ｂ・２１ｂが設けられ、供給コンベア２３や鎮圧ローラ２４を視認できるようにしている。なお、のぞき窓２１ｂの形状や大きさや数は限定するものではない。こうして、機枠２１内部を視認できるので、詰まりや土の付着等を確認できメンテナンスが容易にできるようにしている。
【００２２】
均し手段２６は、ブラシ２６ａと高さ調節ネジ２６ｂからなり、ブラシ２６ａは下端を苗トレイ２の上面と平行となるように配設され、ブラシ取付板２６ｃの左右中央にナット２６ｄを固定して高さ調節ネジ２６ｂを螺装している。高さ調節ネジ２６ｂは上端にツマミが設けられ、その下のネジ部は後板２１ａから後方に突設したステーに回転自在に支持され、ネジ部の下部が前記ナット２６ｄに螺装される。こうして、ツマミを回転するとブラシ２６ａが上下摺動されて、高さを調整可能としている。そして、ブラシ取付板２６ｃの左右両側には上下方向に長い長孔２６ｅ・２６ｅが開口されて、ボルトを挿通して後板２１ａに螺装している。更に、後板２１ａの左右両側に目盛２１ｃ・２１ｃを設けて、ブラシ２６ａの高さを調節するときの位置が容易に把握できるようにしている。
【００２３】
こうして、高さ調節ネジ２６ｂを回動することにより、ブラシ取付板２６ｃが昇降され、このとき長孔２６ｅ・２６ｅによりガイドされてブラシ２６ａが水平の状態のまま平行に上下され、苗トレイ２上に均一に当接して均しムラが生じないようにしている。そして、苗トレイ２が搬送されると、ブラシ２６ａが床土の表面を均し、余分な床土を除去するのである。なお、図示しないが、覆土装置６０の出口側にも前記同様の構成の均し手段が配設される。
【００２４】
灌水装置３０は床土に水を撒くものでその構成は後述する。
穴開け装置４０は、図１に示すように、突起付ローラ４１と、突起付ローラ４１を回転自在に支持するアーム４２と、アーム４２を搬送フレーム８２上に支持する支持体４３と、支持体４３に支持され突起付ローラ４１を掃除するブラシ４５と、チェーン搬送機構８５からブラシ４５に回転動力を伝える動力伝達手段４４からなる。前記突起付ローラ４１は苗トレイ２の搬送方向に対して直交方向の軸心を有する円筒状のローラの外周に前記苗トレイ２の凹部の位置に合わせて円錐状の突起を所定間隔で突設している。こうして、床土が充填された苗トレイ２が搬送されると、この搬送に同期してブラシ４５が回転され、この回転により突起付ローラ４１が回転されて突起付ローラ４１により床土表面に所定の深さの凹部が形成されるのである。
【００２５】
播種装置５０は播種ローラ５１とホッパー５２と駆動モータ５３とトレイ検知手段とを備え、搬送される苗トレイ２の搬送速度と播種ローラ５１の回転速度を同期させて駆動して、突起付ローラ４１で形成した各凹部に所定数の種子を落下させるようにしている。
【００２６】
覆土装置６０は繰出ローラとホッパーからなり、苗トレイ２の搬送に同期して繰出ローラを回転させて土を繰出して落下させ、播種後の苗トレイ２上に土を被せるようにしている。
後灌水装置７０は、搬送方向に対して直交方向に配置される灌水パイプを有し、被せた土と種子に水分を与えるようにしている。
【００２７】
次に、本発明の灌水装置３０について、図３、図４、図５より説明する。
灌水装置３０は、搬送される苗トレイ２の上方を覆い左右の搬送フレーム８２・８２に跨って固定される灌水カバー３１と、該灌水カバー３１の上部内に搬送方向と直交して横架される複数の灌水パイプと、灌水パイプに連通する給水パイプ３４と、給水パイプ３４に設けられる圧力計３５と調節バルブ３６からなる。なお、灌水パイプは本実施形態では前灌水パイプ３２と後灌水パイプ３３の前後２本からなるが、灌水量に合わせて３本以上設けることも可能である。
【００２８】
灌水カバー３１はプレートが正面視コ字状に折り曲げ形成されて、解放側を下方に向けて下部が搬送フレーム８２・８２に固定される。灌水カバー３１の左右の側板上部に前灌水パイプ３２と後灌水パイプ３３が貫通して左右方向に固定され前後平行に配置される。
【００２９】
前灌水パイプ３２と後灌水パイプ３３は一端（右側）が栓で閉じられ、他端（左側）が給水パイプ３４と連通されている。前灌水パイプ３２と後灌水パイプ３３の下部には左右方向に所定間隔をあけて複数の吐水孔３２ａ・３３ａ・・・がそれぞれ開口されている。前灌水パイプ３２と後灌水パイプ３３は左右方向の軸心に対して回動可能に灌水カバー３１の側板に支持され、灌水カバー３１の上面には固定ボルト３７・３７・・・が螺装されて、締め付けることにより前灌水パイプ３２と後灌水パイプ３３を任意角度で固定可能としている。つまり、前灌水パイプ３２と後灌水パイプ３３の吐水方向は前後に角度調節可能に構成されており、前灌水パイプ３２は下方に吐水するように固定され、後灌水パイプ３３は後方に傾斜して吐水するように固定されている。なお、３本以上配置される場合は、最後部に配置される灌水パイプが後下方に吐水するように傾斜して固定される。この傾斜角度は吐水量や床土への水の浸透具合に応じて変更可能とされる。
【００３０】
給水パイプ３４の一端は前灌水パイプ３２と後灌水パイプ３３と連通され、他端はホース等を介して水道または給水ポンプの吐出口と連通される。給水パイプ３４の中途部には圧力計３５と調節バルブ３６が設けられ、圧力計３５により水圧が容易に視認でき、調節バルブ３６はそのツマミ３６ａを回動することにより、吐水圧（吐水量）を変更可能としている。但し、調節バルブ３６は前灌水パイプ３２と後灌水パイプ３３の他端にそれぞれ設けて、前灌水パイプ３２と後灌水パイプ３３の吐水量をそれぞれ任意に変更可能に構成することもできる。
【００３１】
このような構成において、床土が充填された苗トレイ２が灌水装置３０の下方に搬送されてくると、図５（ａ）に示すように、前灌水パイプ３２と後灌水パイプ３３により苗トレイ２に灌水される。苗トレイ２が搬送されて、苗トレイ２の終端部において、前灌水パイプ３２と後灌水パイプ３３の両者で灌水すると、従来では、図６に示すように、二つの灌水パイプで一気に灌水されるため浸透が追い付かず水が溢れ床土の流失も発生していた。本発明では、図５（ｂ）に示すように、一方の後灌水パイプ３３による吐水方向を下流側に傾斜させることで、前灌水パイプ３２と後灌水パイプ３３の間隔は変えることなく灌水間隔を広げることができる。つまり、灌水装置３０は前後方向の長さが長くなることなく、コンパクトな構成のまま吐水量を増加させることができ、水が溢れることもなくせることができる。これは苗トレイ２の前端部において前灌水パイプ３２から下方に吐水しているときに、後灌水パイプ３３からは下流側へ向けて斜めに吐水することになる。従って、前灌水パイプ３２から吐水された水を浸透させる面積が広くなり、前方へ水が流れて苗トレイ２の縁部で堰き止められても後方へ流れることができ、水が溢れることはなくなり床土の流失も防止することができるのである。
【００３２】
なお、苗トレイ２に充填された床土の水分や材質等により浸透速度は異なるため、その浸透度合いにより、後灌水パイプ３３の吐水角度を調節してもよい。また、床土や種子の種類等に合わせて前灌水パイプ３２と後灌水パイプ３３からの吐水量を調節して水が溢れないように適宜調節することもできる。
【００３３】
また、二つの灌水パイプで灌水する場合、苗トレイ２の終端部で灌水が集中することを防止するために、前灌水パイプ３２を斜め前方に傾斜して吐水し、後灌水パイプ３３からは後下方に吐水するように構成することも可能である。また、苗トレイ２の終端部で前灌水パイプ３２と後灌水パイプ３３による灌水が集中して水が溢れることを防止するために、灌水パイプは３本以上配置して灌水を分散させて全体の吐水量は維持させる構成であってもよい。
【００３４】
以上のように、苗トレイ２を搬送するトレイ搬送装置８と、トレイ搬送装置８上に配置される床土供給装置２０と灌水装置３０と播種装置５０と覆土装置６０を備える播種機１において、前記灌水装置３０は、苗トレイ２の搬送方向に対して直交方向に複数の灌水パイプ（前灌水パイプ３２と後灌水パイプ３３）が平行に配設されて、搬送方向下流側の後灌水パイプ３３からの吐水方向は、下流側方向に傾斜させて吐水し、下流側の灌水パイプ以外は下方に吐水するように構成したので、灌水装置３０を大きくすることなく、灌水時に苗トレイ２から水が溢れたり、床土が流失したりすることをなくすことができたのである。
【００３５】
また、前記前灌水パイプ３２と後灌水パイプ３３の吐水角度を変更可能に構成したので、吐水間隔を任意に変更できるようになり、前灌水パイプ３２と後灌水パイプ３３からの吐水量に合わせて吐水角度を変更して、水が溢れないように調節することができる。
【００３６】
また、前灌水パイプ３２と後灌水パイプ３３の吐水量を変更可能に構成したので、床度の浸透具合（床土の水分量）に合わせて、吐水量を変更して苗トレイ２から水が溢れることを防止でき、また、種子の種類や育苗場所等に合わせて灌水量を調節することができる。
【符号の説明】
【００３７】
１    播種装置
２    苗トレイ
８    トレイ搬送装置
２０  床土供給装置
３０  灌水装置
５０  播種装置
３２  前灌水パイプ
３３  後灌水パイプ
【図１】
2015149946.tif 000003
【図２】
2015149946.tif 000004
【図３】
2015149946.tif 000005
【図４】
2015149946.tif 000006
【図５】
2015149946.tif 000007
【図６】
2015149946.tif 000008
【図７】
2015149946.tif 000009
【図８】
2015149946.tif 000010
【図９】
2015149946.tif 000011